(57)【要約】      （修正有）【課題】鋭利な角（バリ）を持たない、リサイクル可能な紙製ハンガーを提供する。【解決手段】紙材から一体的に形成された、衣類を掛けるための本体部１とフック部２とを備える紙製ハンガーであって、研磨処理または押圧処理がなされたことによって、前記紙材の断面付近におけるバリを有しない。【選択図】図１
0003225880.tif 000002
【実用新案登録請求の範囲】
【請求項１】
紙材から一体的に形成された、衣類を掛けるための本体部とフック部とを備える紙製ハンガーであって、研磨処理または押圧処理がなされたことによって、前記紙材の断面付近におけるバリを有しない、紙製ハンガー。
【請求項２】
複数の紙材を積層することによって形成された、衣類を掛けるための本体部とフック部とを備える紙製ハンガーであって、前記複数の紙材は、断面付近におけるバリを有しない面が外側に配置されている、紙製ハンガー。
【考案の詳細な説明】
【技術分野】
【０００１】
本考案は、鋭利な角（バリ）を持たない、リサイクル可能な紙製ハンガーに関する。
【背景技術】
【０００２】
衣服の展示、売買、保管の際やクリーニングした衣服を受け渡しする際には、個々の衣服をハンガーに掛けることが多い。これらのハンガーは、日々大量に消費されている。店舗によっては回収、再利用している場合もあり、衣服の購入者が家庭で再利用している場合もある。しかし、このようなハンガーは簡素な作りであることが多く、比較的短期間で廃棄される場合も少なくない。
【０００３】
一般に使用されているハンガーは、金属、木材、プラスチックなどを素材としている。しかし、木製のハンガーは一部に金属が用いられていることがあり、処分する際には、解体して素材別に分別することが必要な場合がある。一方、プラスチック製のハンガーは、自然界で分解されず、焼却処分すると二酸化炭素の発生原因となる。そのため、環境への配慮の一環として、素材を自然界で分解されやすい物質に置き換えることが望ましい。
【０００４】
自然界で分解されやすい素材を用いたハンガーとして、紙製ハンガーが存在する。例えば、大きな負荷がかかるフック部以外が紙製であるハンガー、および全体が紙製であるハンガーが開発されている。このようなハンガーは、厚紙、ボール紙などに打ち抜き加工を施して製造される場合が多い。
【０００５】
打ち抜き加工とは、打ち抜きたい形状の刃を持つ型を、紙や樹脂板などの材料に当ててプレスし、材料を所望の形状に打ち抜く加工方法である。例えば、溝を掘った木板などに金属の刃を埋め込んだ型を用いるトムソン加工など、重ねた材料の打ち抜きが可能なポンス加工などがある。
【０００６】
型抜き加工では一般に、断面のうち、型を押し込んだ側には「ダレ」と呼ばれる、角が潰れ滑らかになった形状が発生する。一方、その反対側には、「バリ」、「かえり」などと呼ばれる、尖った膨らみが発生する。
【０００７】
バリは先端が鋭利であり、取り扱いの際に指を切るなどの怪我につながるおそれがある。また、ハンガーにバリがあると、衣服が引っかかって損傷し、商品価値を損なう場合がある。そのため、安心してハンガーを使用するためには、あらかじめバリを除去することが望ましい。
【０００８】
特許文献１には、上衣の肩の部位を掛けて吊るす係止部と、棒状部材に懸垂可能なフック部とからなり、フック部と係止部とが硬い厚紙を芯材とする紙製ハンガーが開示されている。特に、紙製ハンガーの輪郭周縁部が内側よりも強い圧力で圧縮されており、緻密に固化していることが記載されている。しかしながら、断面の角の形状についての記載はない。
【０００９】
特許文献２には、衣類の肩部分を掛ける肩掛け部と、該肩掛け部を吊り下げる吊り下げ部とが一体的に形成されたハンガーであって、肩掛け部と吊り下げ部とが紙材で構成されていることを特徴とするハンガーが開示されている。特に、線対称な段ボール紙を対称軸に沿って折り曲げ、または同一形状のハンガー片を積層、接着することによって、積層構造とすることが記載されている。しかしながら、断面の角の形状についての記載はない。
【先行技術文献】
【特許文献】
【００１０】
【特許文献１】実登第３０２１４３２号公報
【００１１】
【特許文献２】実登第３１４４９６４号公報
【考案の概要】
【考案が解決しようとする課題】
【００１２】
従来のハンガーは、処分の際の手間や、環境に与える影響について、改善が求められている。自然界で分解されやすい素材という観点から、紙材に打ち抜き加工を施すことによって形成された紙製ハンガーが開発されている。しかし、打ち抜き加工では一般に、抜き型を押し込んだ側は角が潰れて滑らかな形状となるが、反対側には、バリと呼ばれる尖った膨らみが発生する。バリは、取り扱いの際の怪我や、衣類の損傷の原因となりうる。
【００１３】
本考案は、環境負荷の低減に資するだけでなく、使用者にも衣類にも安全な紙製ハンガーを提供することを目的とする。
【課題を解決するための手段】
【００１４】
上記課題を解決するため、本考案は、紙材から一体的に形成された、衣類を掛けるための本体部とフック部とを備える紙製ハンガーであって、研磨処理または押圧処理がなされたことによって、前記紙材の断面付近におけるバリを有しない、紙製ハンガー、を提供する。
【００１５】
別の実施形態では、本考案は、複数の紙材を積層することによって形成された、衣類を掛けるための本体部とフック部とを備える紙製ハンガーであって、前記複数の紙材は、断面付近におけるバリを有しない面が外側に配置されている、紙製ハンガー、を提供する。
【考案の効果】
【００１６】
本考案による紙製ハンガーは、全体が紙製であり、生分解素材であるため環境への負荷が小さく、また、処分する際の特別な作業も不要である。打ち抜き加工を施した材料は一般に、抜き型を押し込んだ側の反対側に、バリと呼ばれる尖った膨らみが発生する。しかし、本考案による紙製ハンガーは、研磨処理または押圧処理によってバリが除去されるため、安全に用いることができる。
【００１７】
別の実施形態では、本考案による紙製ハンガーは、バリを有する面は積層構造の内側に配置され、外側にはバリを有しない面が配置される。したがって、使用者の手や衣類が接触する部分にはバリが存在せず、安全に用いることができる。
【図面の簡単な説明】
【００１８】
【図１】図１は、本考案による紙製ハンガーの平面図である。
【図２】図２は、バリを除去する前後の紙材を表す模式図である。
【考案を実施するための形態】
【００１９】
以下、本考案による紙製ハンガーについて詳細に説明する。
【００２０】
本考案による紙材は、板紙、段ボール、チップボールなど、任意の紙を用いることができるが、衣類の重量に耐えるだけの剛性を有する必要がある。一般に、厚さが大きいほど、剛性も大きくなり、コストも上昇する。したがって、対象とする衣類に応じて、紙の種類、厚さを決定する。例えば、ワイシャツのような軽量の衣類に対しては、チップボール等の、比較的薄くて安価な紙を用いることができる。対して、コートのような重量が大きい衣類に対しては、より厚みのある、剛性が大きい紙を用いる必要がある。
【００２１】
本考案による紙製ハンガーにおいて、本体部は衣類を掛ける部分であり、その形状は任意である。非限定的な例として、図１に示すように、フック部を上として、水平よりやや下方向に、幅のある直線または曲線が左右対称に延びた形状が挙げられる。また、三角形や台形などの形状で、所望により本体内部をくり抜いてもよい。上記形状は、シャツやコートなどの上衣の肩部に合わせた形状であり、これらを掛けるのに適する。
【００２２】
なお、本考案による紙製ハンガーは、上衣を掛けるためのハンガーに限定されず、ネクタイ、靴下など任意の衣類を掛けるために用いることができる。また、対象とする衣類に応じて、適切な本体部の形状が変化しうる。
【００２３】
上記形状はさらに、フック部を上として、本体部の上側の辺または面に、本体部の正面から見て三角形、四角形、半円形などの任意の形状の窪みを有してもよい。この窪みは、スカートの内側に設けられたハンガーループや、オフショルダー型の衣服のショルダーストラップなどを掛けるのに用いることができる。
【００２４】
本考案による紙製ハンガーにおいて、フック部は、クローゼット内のポールやハンガーラックのような、棒状の部材などに紙製ハンガーを吊り下げるための部分である。その形状は任意であるが、例えば、クエスチョンマーク「？」の上部のような、フック部を上として、外縁部から上方向に向かって設けられた切り欠きを有する形状が挙げられる。切り欠きの最奥部の形状は、汎用には円形や楕円形であることが好ましいが、所定のポール等に対応する形状であってもよい。
【００２５】
本考案による紙製ハンガーは、トムソン加工、ポンス加工などの打ち抜き加工を、紙材に施すことによって製造することができる。前述の通り、紙材の打ち抜き断面には、型を押し込んだ側には「ダレ」と呼ばれる、角が潰れ滑らかになった形状が発生する。一方、その反対側には、「バリ」、「かえり」などと呼ばれる、尖った膨らみが発生する。
【００２６】
本考案による紙製ハンガーでは、バリを除去するため、研磨処理または押圧処理を行う。研磨処理は、例えば、ヤスリ等の器具が、バリを含む範囲を往復運動、回転運動などをすることによって行うことができる。また、押圧処理は、例えば、バリを含む範囲にプレス器などを用いて圧力を加え、周囲に対して突出した部分であるバリを押し潰すことによって行うことができる。これらの処理を通じて、バリが除去され、処理前より平滑な紙材が提供される。バリを除去する前後の紙材を表す模式図を、図２に示す。
【００２７】
なお、本考案において、バリの「除去」および「有しない」とは、バリの鋭利な尖端が処理されて鋭利でなくなること、またはそもそも鋭利な尖端が存在しないことを指す。したがって、周囲に対する膨らみが存在しないことまでを意味するものではない。
【００２８】
図１に示した紙製ハンガーは平面構造であるが、本考案による紙製ハンガーは、立体構造であってもよい。トムソン加工では、打ち抜きだけでなく、材料を折り曲げるための筋を入れることもできる。紙材に筋入れ加工を施し、筋に沿って折り曲げることによって形成した立体構造の紙製ハンガーも、本考案の範囲内である。
【００２９】
本考案による別の実施形態の紙製ハンガーは、所定の形状に打ち抜いた複数の紙材を、積層して接着することによって製造することができる。例えば、１枚の紙材から線対称なハンガー片を打ち抜き、バリを有する面同士を合わせることによって、外側にはバリを有しない紙製ハンガーを製造することができる。なお、この実施形態において、各ハンガー片は同一の形状でなくてもよい。また、ハンガー片にバリを除去する処理を施し、この処理をした面を外側に配置することもできる。
【００３０】
この実施形態における外側とは、外界と接する部分を指し、通常の使用において、使用者の手や衣類が接触しうる部分を意味する。外側でない部分は、例えば、積層構造の層間のように、分解しない限り使用者の手や衣類が接触しない部分である。
【００３１】
なお、本考案は上記の実施形態に限定されるものではなく、本考案の趣旨に基づいて種々変形させることが可能であり、それらを本考案の範囲から排除するものではない。
【符号の説明】
【００３２】
１  本体部
２  フック部
３  窪み
４  ダレ
５  バリ
【図１】
0003225880.tif 000003
【図２】
0003225880.tif 000004
【手続補正書】
【提出日】令和2年2月6日(2020.2.6)
【手続補正１】
【補正対象書類名】実用新案登録請求の範囲
【補正対象項目名】請求項２
【補正方法】変更
【補正の内容】
【請求項２】
複数の紙材を積層することによって形成された、衣類を掛けるための本体部とフック部とを備える紙製ハンガーであって、前記複数の紙材は、断面付近におけるバリを有しない面が外側に配置されていることを特徴とする、請求項１に記載の紙製ハンガー。